(57)【要約】【課題】裏側層や中間層の色糸の影響をあまり受けず、表側や裏側の模様をそれぞれ独立して表し得る３層構造ガーゼ織物を提供することを目的とする。【解決手段】３重織物であって、経糸ア，イ，ウはいずれも無彩色のガーゼ糸で、緯糸Ａ，Ｂ，Ｃ，Ｄ，Ｅはそれぞれ着色されたガーゼ糸で構成される。上・中・下の各層の着色ガーゼ緯糸Ａ，Ｂ，Ｃ，Ｄ，Ｅは上・中・下層のいずれかと互いに任意位置でクロスされる部分を形成して模様が描かれる。中層には、更に無彩色の嵩高糸（ワタ糸Ｆ）が緯方向に備えられて中層の経糸イに適宜織り込まれる。【選択図】図１
2010018920.tif 000002
【特許請求の範囲】
【請求項１】
上・中・下の３つの層を重ねた織物であって、
前記上・中・下層の経糸はいずれも無彩色のガーゼ糸で構成され、
前記上・中・下層の緯糸はそれぞれ着色されたガーゼ糸で構成されると共に、該各層の緯糸は上・中・下層のいずれかと互いに任意位置でクロスされる部分を形成して模様が描かれてなり、
前記中層には、更に任意のピッチで無彩色の嵩高糸が緯方向に備えられて中層の経糸に適宜織り込まれたものであることを特徴とする３層構造ガーゼ織物。
【請求項２】
前記中層の嵩高糸は、前記中層の緯糸２本に対し１〜３本のピッチで挿入されたものである請求項１に記載の３層構造ガーゼ織物。
【請求項３】
前記中層の嵩高糸は、前記中層の経糸に対して３〜１４本飛ばしで交錯される箇所を有するものである請求項１または２に記載の３層構造ガーゼ織物。
【発明の詳細な説明】
【技術分野】
【０００１】
本発明は、模様を表現することが可能な３層構造ガーゼ織物に関するものである。
【背景技術】
【０００２】
昨今、タオルやハンカチとして、複数枚のガーゼを積層したガーゼ織物がよく用いられるようになっている。該ガーゼ織物は、一般にガーゼタオル或いはガーゼハンカチと称され、吸水性に優れ、感触が柔らかいことから、汗を拭くとき等のように肌を拭う際に好適である。
【０００３】
日本薬局方で規定されるガーゼは、綿（メン）糸を平織し、脱脂、漂白した白い布であるが、上記の如くタオル等として一般に使用されるガーゼ織物としては、着色され、模様を表したものが要望されている。
【０００４】
斯様な模様を表したガーゼ織物としては、例えば特許文献１に、ジャガード織多重ガーゼ織物が提案されている。
【０００５】
この特許文献１に記載の多重ガーゼ織物（３層構造ガーゼ織物）は、３つの層を備えた３重ガーゼであって、経糸及び緯糸としてそれぞれ３色の糸を使い、緯糸を上記３つの層間で任意に出没させると共に、経糸を１つの層内で上記緯糸と交錯させた後に他の層で緯糸と交錯させたものである。そしてこれにより、上記３色の糸により柄を表現した織物とすることができるというものである。
【特許文献１】特開平１１−３２３６９３号公報
【発明の開示】
【発明が解決しようとする課題】
【０００６】
ところが上記従来の多重ガーゼ織物（３層構造ガーゼ織物）では、中間層に配置された糸の色が表面や裏面に写る。このため、表面或いは裏面の模様を損なう虞がある。因みに、表面（或いは裏面）から見たとき裏面層（或いは表面層）の色は中間層の存在によって遮られることから、あまり表面（或いは裏面）に影響を与えない。
【０００７】
そこで本発明は上記の点に鑑みてなされたものであり、その目的は、中間層（中層）の色糸の影響をあまり受けず、表面や裏面の模様をそれぞれ独立して表し得る３層構造ガーゼ織物を提供することにある。
【課題を解決するための手段】
【０００８】
本発明に係る３層構造ガーゼ織物は、上・中・下の３つの層を重ねた織物であって、前記上・中・下層の経糸はいずれも無彩色のガーゼ糸で構成され、前記上・中・下層の緯糸はそれぞれ着色されたガーゼ糸（以下、着色ガーゼ緯糸と称することがある）で構成されると共に、該各層の緯糸は上・中・下層のいずれかと互いに任意位置でクロスされる部分を形成して模様が描かれてなり、前記中層には、更に任意のピッチで無彩色の嵩高糸が緯方向に備えられて中層の経糸に適宜織り込まれたものであることを特徴とする。尚ガーゼ糸とは、ガーゼに用いられる糸であり、１５〜６０番手の綿糸を指す。また上記「着色されたガーゼ糸」には有彩色だけでなく、無彩色も含まれる。
【０００９】
なお以下の説明において、便宜上、上層側を表、下層側を裏として述べることがある。
【００１０】
本発明では、緯方向の着色ガーゼ緯糸を上・中・下層に位置変更させることにより織物の表面や裏面に模様を描き、経糸には無彩色（白、黒、灰色）を用いて、着色ガーゼ緯糸の色を損なわない様にしたものである。なお上層に位置する着色ガーゼ緯糸の色が表側に表れ、下層に位置する着色ガーゼ緯糸の色が裏側に表れ、中層に位置する着色ガーゼ緯糸は上・下層に挟まれることで隠れ、表側と裏側とでそれぞれ別々の模様が描かれることとなる。
【００１１】
そして本発明では、中層に無彩色の嵩高糸を配しており、この嵩高糸は中層の着色ガーゼ緯糸よりも見かけが太いので、該着色ガーゼ緯糸の色が目立たなくなる。その結果、表側から見た場合に上層への中層の色写りが防止され、同様に、裏側から見た場合に下層への中層の色写りが防止される。なお斯様な効果を発揮させるために、嵩高糸の太さとしては３００〜２１００dtexが好ましい。より好ましくは６００dtex以上、１７００dtex以下である。
【００１２】
因みに、当然のことながら、表側から見た場合に下層の色、裏側から見た場合に上層の色は中層によって遮られ、反対側に表れない。
【００１３】
加えて、上記の如く中層に嵩高糸を配することで、ボリューム感に優れたものとなる。ガーゼ織物は柔らかな感触と良好な吸湿性を利点とするものであるが、上記嵩高糸によるボリューム感により、この柔らかさと吸湿性がより向上する。
【００１４】
更に本発明においては、前記中層の嵩高糸は、前記中層の緯糸（着色ガーゼ緯糸）２本に対して１〜３本のピッチで挿入されたものであることが好ましい。
【００１５】
上記嵩高糸の挿入本数が少なすぎると、上述の上層，下層への色写り防止作用が乏しくなる虞があるからである。逆に嵩高糸の挿入本数が多すぎると（例えば中層の緯糸２本に対して嵩高糸を４本のピッチで挿入）、中層における緯方向に挿入される糸本数が多くなり過ぎて、殊に平織組織の様にして挿入する場合等にはかえって柔らかな感触を損なう懸念があるからである。
【００１６】
また本発明において、前記中層の嵩高糸が、前記中層の経糸に対して３〜１４本飛ばしで交錯される箇所を有するものであることが好ましい。
【００１７】
つまり、嵩高糸を緯糸方向に挿入するにあたり、例えば綾織のようにして、経糸を３〜１４本飛ばしで交錯させることが好ましい。例えば１／２の綾（嵩高糸が経糸２本の上を連続して通った後、経糸１本の下を通り、これを繰り返す組織）や、１／３の綾、１／４の綾等が挙げられる。これにより、中層においてその一方面側に嵩高糸が浮くようになる。特に中層の着色ガーゼ緯糸と経糸が平織組織であると、上記の様にして嵩高糸の浮いた部分が中層の着色ガーゼ緯糸より上（外側）に位置する様になり易く、これにより中層の着色ガーゼ緯糸を隠すことになる。従って表側から見たとき上層に中層の色が透けて見え難い。
【００１８】
またこの様にして嵩高糸を挿入するに際し、中層における他方面側にも嵩高糸を浮かせるため、嵩高糸１本毎に浮き糸が表れる表裏面側を交互に変えると良い。具体的には、例えばまず嵩高糸１本を１／３の綾で挿入し、次の嵩高糸１本を３／１の綾で挿入し、これを繰り返す。これにより中層の両面ともに嵩高糸の浮いた部分を形成することができ、これにより中層の着色ガーゼ緯糸を両面とも隠すようにできる。よって上層及び下層への中層の色写りを良好に防止できる。
【００１９】
更に嵩高糸を緯糸方向に挿入するにあたり、例えば朱子織のように、経糸に対する組織点（交錯点）を少なくし、且つこの組織点を分散させて、嵩高糸を浮かせるようにしても良い。この朱子織のようにして浮かすにあたっての経糸の飛ばし本数は、上記の如く３〜１４本が好ましい。なおこの際も中層の両面とも嵩高糸を浮かせるため、嵩高糸１本毎に浮き糸が表れる表裏面側を交互に変えると良い。そしてこれにより上層と下層への中層の色写りが良好に防止される。
【００２０】
また嵩高糸を、平織りのように、経糸１本毎に交錯させて挿入した場合では、経糸による嵩高糸の拘束力が強くなって、ガーゼ織物の柔らかな風合いが損なわれる懸念があるが、綾織りや朱子織のようにして嵩高糸を挿入した場合には、経糸との拘束力が小さく、柔らかな風合いとなる。
【００２１】
そして上記中層の着色ガーゼ緯糸の隠し効果や柔らかな風合いの効果を良好に発揮させるためには、上記の如く嵩高糸を交錯させるについて経糸の飛ばし本数を３本以上とすることが好ましく、より好ましくは４本以上である。
【００２２】
一方、嵩高糸が経糸に対して交錯する間隔が大きすぎると、嵩高糸がその浮いた部分でヨレて、却って中層の着色ガーゼ緯糸を隠さなくなるので、上記の如く嵩高糸を中層の経糸の飛ばし本数を１４本以下とすることが好ましく、より好ましくは１１本以下である。更に好ましくは７本以下である。
【発明の効果】
【００２３】
本発明に係る３層構造ガーゼ織物では、反対側の層（上層側から見たときの下層、下層側から見たときの上層）だけでなく、中層に配置された糸の色写りが防止されるので、中層の色に関わらず、表側や裏側の模様をそれぞれ独立して表すことが可能となる。
【発明を実施するための最良の形態】
【００２４】
＜実施形態１＞
図１は本発明の実施形態１に係る３層構造ガーゼ織物を表す図である。図１の（ａ）は３層構造ガーゼ織物の表側（上層側）から見た図であって、そこに表れる色をＡ〜Ｅで表している。図１の（ｂ）はこの３層構造ガーゼ織物の緯方向の断面図で、（ｃ）は経方向の断面図である。なお図１にて、（ｂ）は（ａ）における下の横列（Ａ，Ｂ，Ｃ）が対応し、（ｃ）は（ａ）における右の縦列（Ｂ，Ｅ，Ｃ）が対応する。また図において、糸の違いを分かり易くするために、各糸について実線、破線、一点鎖線、太線を用いて表している。
【００２５】
図１（ｂ），（ｃ）に示すように、本実施形態１の３層構造ガーゼ織物は、平織りを基本とした３重織物であり、これの中層に更に嵩高糸（ワタ糸Ｆ）が挿入されたものである。
【００２６】
図１（ｂ）において、上に示す層が上層、中程に示す層が中層、下に示す層が下層となる。図１（ｃ）において、左に示す層が上層、中程に示す層が中層、右に示す層が下層となる。
【００２７】
緯糸Ａ，Ｂ，Ｃ，Ｄ，Ｅは、着色されたガーゼ糸であり、例えば着色ガーゼ緯糸Ａは青、着色ガーゼ緯糸Ｂはピンク、着色ガーゼ緯糸Ｃは緑、着色ガーゼ緯糸Ｄはオレンジ、着色ガーゼ緯糸Ｅは白色である。経糸ア，イ，ウはいずれも白色のガーゼ糸である。ワタ糸（嵩高糸）Ｆは白色で、ポリエステル製のテクスチャードヤーン（６６８dtex）である。
【００２８】
なお図１（ｃ）において２点鎖線で囲んだ範囲と、図１（ｂ）において２点鎖線で囲んだ範囲の織構造が対応することになる。
【００２９】
まず経糸ア，イ，ウの走行状態（配置）について説明する。
【００３０】
図１（ｃ）に示すように、経糸アは、図の上方では下層に位置し、図の中程では上層に位置し、図の下方では下層に位置する。経糸ウは、図の上方では上層に位置し、図の中程では下層に位置し、図の下方では上層に位置する。経糸イは、上方、中程部分、下方のいずれにおいても中層に位置する。
【００３１】
上記の様に経糸ア、ウが所々で上・下層の位置をクロスして配置されているので、３重織物の各層が離れずに一体化されることとなる。なお、本実施形態１においては経糸ア、ウのみについて上・中・下層の位置関係を換える構成を示したが、これに限るものではなく、経糸イも上・中・下層の位置関係を換える様に構成しても良い。
【００３２】
次にワタ糸Ｆの走行状態（配置）について説明する。
【００３３】
ワタ糸Ｆは中層の着色ガーゼ緯糸１本に対して１本のピッチで挿入されている（即ち、中層の着色ガーゼ緯糸２本に対して２本のピッチでワタ糸Ｆが挿入されている）。またワタ糸Ｆは朱子織のように挿入され、表側に浮く部分を有するワタ糸Ｆ1では、まず経糸イ３本の上に浮き（経糸イを３本飛ばし）、次いで経糸イ１本の下に沈み、続いて経糸イ３本の上に浮き、経糸イ１本の下に沈み、これを繰り返す。裏側に浮く部分を有するワタ糸Ｆ2では、上記ワタ糸Ｆ1とは逆に、まず経糸イ３本の下に沈み（経糸イを３本飛ばし）、次いで経糸イ１本の上に浮き、続いて経糸イ３本の下に沈み、経糸イ１本の上に浮き、これを繰り返す。
【００３４】
ワタ糸Ｆ（Ｆ1，Ｆ2）は嵩高い上、上記の様に経糸イを３本飛ばして浮いているので、中層の着色ガーゼ緯糸に覆い被さるように位置し、中層の着色ガーゼ緯糸を隠すようになる。
【００３５】
次に色糸（着色ガーゼ緯糸）の走行状態（配置位置）について説明する。
【００３６】
図１（ｂ）に示すように、着色ガーゼ緯糸Ａは、図の左では上層に位置し、図の中程では中層に位置し、図の右では下層に位置する。着色ガーゼ緯糸Ｂは、図の左では下層に位置し、図の中程では上層に位置し、図の右では中層に位置する。着色ガーゼ緯糸Ｃは、図の左では中層に位置し、図の中程では下層に位置し、図の右では上層に位置する。この様にして着色ガーゼ緯糸Ａ，Ｂ，Ｃは、上・中・下層のいずれかと互いに任意位置（矢印α，βで矢視した位置）でクロスしている。
【００３７】
そしてそれぞれの部分（左、中程、右）において、上記経糸ア，イ，ウと交錯して平織り組織となっている。
【００３８】
経糸ア，イ，ウはいずれも白色であるので、色糸である着色ガーゼ緯糸Ａ，Ｂ，Ｃ，Ｄ，Ｅと織り込まれたとき、着色ガーゼ緯糸の色がややパステル調になって表れることとなる。
【００３９】
そして表側（上層側）から見たとき、上層に位置する着色ガーゼ緯糸の色がガーゼ織物の表側に視認される。具体的には、図１（ｂ）の左では着色ガーゼ緯糸Ａの青色、中程では着色ガーゼ緯糸Ｂのピンク色、右では着色ガーゼ緯糸Ｃの緑色が表れ、図１（ａ）において下方に示す配色の如くとなる。そして下層に位置する糸の色は、中層によって遮られて、上層に表れないことに加えて、中層に位置する着色ガーゼ緯糸もワタ糸Ｆによって隠れるため、上層に殆ど写らない。
【００４０】
一方、裏側（下層側）から見たとき、下層に位置する着色ガーゼ緯糸の色がガーゼ織物の裏側に視認され、図１（ｂ）の左では着色ガーゼ緯糸Ｂのピンク色、中程では着色ガーゼ緯糸Ｃの緑色、右では着色ガーゼ緯糸Ａの青色が表れる。そして上記と同様に、上層に位置する糸の色は、中層によって遮られて、下層に表れないことに加えて、中層に位置する着色ガーゼ緯糸もワタ糸Ｆによって隠れるため、下層に殆ど写らない。
【００４１】
また図１の（ｃ）は（ａ）における右の縦列が対応するが、表側（上層側）から見たとき、下から着色ガーゼ緯糸Ｃの緑色、着色ガーゼ緯糸Ｅの白色、着色ガーゼ緯糸Ｂのピンク色が表れ、下層や中層の色は上層には殆ど写らない。
【００４２】
なお、３層構造であるので１つの緯方向の配色としては３色に限定されるが、上記の様に異なる箇所の緯方向の配色は様々に変えることができる（図１（ａ）の下部分ではＡ，Ｂ，Ｃの３色であるが、中程部分ではＤやＥの色を用いることができる）ので、様々な模様を描くことができる。
【００４３】
加えて上記実施形態１では、中層にワタ糸Ｆが配置されているのでボリューム感に優れ、柔らかな感触と吸湿性に一層優れた３層構造ガーゼ織物となる。
【００４４】
なお図１では格子状に色を配置した模様を示したが、着色ガーゼ緯糸を任意の位置で上・中・下層に変えることで、任意の模様を構成できる。つまり、或る色の着色ガーゼ緯糸を、表側の模様として表すときには上層に位置させ、裏側の模様として表すときには下層に位置させ、隠したいときには中層に位置させると良い。
【００４５】
＜実施形態２＞
図２は本発明の実施形態２に係る３層構造ガーゼ織物を表す緯方向の断面図である。
【００４６】
実施形態２では、上記実施形態１に比べ、着色ガーゼ緯糸が上・中・下層の位置を換える間隔が長くなっており、広い範囲で当該着色ガーゼ緯糸の色が表側／裏側に現れるものである。またワタ糸Ｆが経糸を飛ばす本数も５本と、多くなっている。
【００４７】
上述の様に色糸である緯糸について上・中・下層で換える位置を任意に設定することができ、或る色で描く範囲を様々に設定できる。
【００４８】
また本実施形態２ではワタ糸Ｆが経糸を飛ばす本数が実施形態１より多いので、経糸との拘束が少なくなり、より柔らかな風合いが発揮される。
【００４９】
以上、本発明に係る３層構造ガーゼ織物に関して、例を示す図面を参照しつつ具体的に説明したが、本発明はもとより図示例に限定される訳ではなく、前記の趣旨に適合し得る範囲で適当に変更を加えて実施することも可能であり、それらはいずれも本発明の技術的範囲に包含される。
【００５０】
例えば上記実施形態では、経糸が上・中・下層の位置関係を変換する箇所を散在的に備えたものを示したが、経糸が上・中・下層の位置関係を換えないものであっても良い。この場合であっても、着色ガーゼ緯糸が模様を描きながら上・中・下層の位置関係を換えるので、これによって上・中・下層の一体性を保障することができる。
【００５１】
また上記実施形態１では、上・中・下層の着色ガーゼ緯糸が、αやβの箇所で３本とも位置を換える場合を示したが、これに限るものではなく、上・中層で着色ガーゼ緯糸の位置換えをし、下層は換えない場合や、上・下層で着色ガーゼ緯糸の位置換えをし、中層は換えない場合等であっても良い。
【００５２】
嵩高糸（ワタ糸Ｆ）の挿入ピッチとしても、上記実施形態に限らず、例えば中層の緯糸２本に対して嵩高糸（ワタ糸Ｆ）を１本のピッチで挿入したもの等であっても良い。
【００５３】
ワタ糸（嵩高糸）Ｆの挿入態様としても、上記実施形態に限らず、例えば経糸６本飛ばしや８本飛ばしの朱子織のようにしても良い。
【図面の簡単な説明】
【００５４】
【図１】本発明の実施形態１に係る３層構造ガーゼ織物を表す図である。
【図２】本発明の実施形態２に係る３層構造ガーゼ織物を表す緯方向の断面図である。
【符号の説明】
【００５５】
Ａ，Ｂ，Ｃ，Ｄ，Ｅ  着色ガーゼ緯糸
Ｆ  ワタ糸（嵩高糸）
ア，イ，ウ  経糸
【図１】
2010018920.tif 000003
【図２】
2010018920.tif 000004